(57)【要約】【課題】ショルダーバッグ等を、実際に肩にかけた状態をイメージさせることができるとともに、肩掛けベルト等を面支持により吊るして陳列することができる吊り下げ用アタッチメント及び吊り下げ具を提供する。【解決手段】アタッチメント２の嵌合溝２２１にハンガー３の吊り下げ部３２を嵌合し、穴２２２に先端部３１を嵌挿することにより、ハンガー３にアタッチメント2を装着し、上面２１にショルダーバッグの肩掛けベルトＢを掛けて吊り下げる。【選択図】図５
2013146503.tif 000002
【特許請求の範囲】
【請求項１】
上方に折り曲げられた先端部、この先端部に連続するとともに吊り下げ対象物を吊り下げる吊り下げ部を備えた吊り下げ用フックに取り付ける吊り下げ用アタッチメントであって、
凸状の湾曲面で形成された上面と、
吊り下げ部を嵌合する嵌合溝、この嵌合溝の一端側に設けられ前記吊り下げ用フックの先端部を嵌挿する穴を備えた底面と、
を備えたことを特徴とする吊り下げ用アタッチメント。
【請求項２】
前記上面は上面視長方形状であり、前記溝は前記上面の長さ方向に対し略直交する方向に設けられていることを特徴とする請求項１に記載の吊り下げ用アタッチメント。
【請求項３】
前記上面には長さ方向に向かって溝状に形成されていることを特徴とする請求項２に記載の吊り下げ用アタッチメント。
【請求項４】
請求項１ないし３いずれか1項に記載の吊り下げ用アタッチメントと、
前記吊り下げ用フック、この吊り下げ用フックに略直角方向に折り曲げられて連続するともに自身を吊るすフック部を備えたハンガーと、
を備えたことを特徴とする吊り下げ具。
【発明の詳細な説明】
【技術分野】
【０００１】
本発明は、ショルダーバッグを吊り下げて陳列する際に好適な吊り下げ用アタッチメント及び吊り下げ具に関する。
【背景技術】
【０００２】
従来、店舗において、商品は種々の陳列方法を用いて陳列され販売されている。特に、デパートや高級ブティック等においては、商品が美しく見えるように細心の注意が払われ、陳列の仕方が売り上げに影響を及ぼすとさえ言われている。例えば、ショルダーバッグの陳列の仕方にしても、商品棚に置かれるだけでなく、商品吊り下げ具を利用して吊り下げられるという手法が採用されている。このような商品吊り下げ具の一例として、特許文献１に記載の商品吊り下げ具がある。
【０００３】
例えば、この商品吊り下げ具を使用してショルダーバッグを陳列する場合には、先端が上方に折り曲げられた商品吊り下げ用棒状部に、ショルダーバッグの肩掛けベルトを引っ掛けてショルダーバッグは吊り下げられる。
【先行技術文献】
【特許文献】
【０００４】
【特許文献１】特開２００８−１７８４４１号公報
【発明の概要】
【発明が解決しようとする課題】
【０００５】
このような商品吊り下げ具を使用してショルダーバッグを吊り下げて陳列することにより、例えば、消費者に対し実際に肩にかけた状態をイメージさせることができたり、商品棚に置いても立ち姿勢を維持できないようなデザインのショルダーバッグでも立ち姿勢を維持した陳列が可能となる。
【０００６】
その一方、ショルダーバッグは、肩掛けベルトが商品吊り下げ用棒状部に一点で支持されて吊り下げられることになるので、実際に肩にかけた感じとは肩掛けベルトのラインが明らかに異なり、消費者に使用状態をイメージさせづらいという問題がある。さらに、ショルダーバッグの全荷重が、肩掛けベルトの一点にかかることとなるので、場合によっては、肩掛けベルトに傷がついたり、痛みやすかったり、変形するなどといったこともある。
【０００７】
本発明はこのような問題を解決するためになされたものであり、その目的とするところは、ショルダーバッグなどを吊り下げて陳列する際に、肩にかけた状態をイメージさせやすく、肩掛けベルトなどを一点で支持するのではなく面で支持することが可能な吊り下げ用アタッチメント及び吊り下げ具を提供することにある。
【課題を解決するための手段】
【０００８】
前記の目的を達成するために、本発明の吊り下げ用アタッチメントは、上方に折り曲げられた先端部、この先端部に連続するとともに吊り下げ対象物を吊り下げる吊り下げ部を備えた吊り下げ用フックに取り付ける吊り下げ用アタッチメントであって、凸状の湾曲面で形成された上面と、吊り下げ部を嵌合する嵌合溝、この嵌合溝の一端側に設けられ前記吊り下げ用フックの先端部を嵌挿する穴を備えた底面と、を備えたことを特徴とする。
【０００９】
また、前記上面は上面視長方形状であり、前記溝は前記上面の長さ方向に対し略直交する方向に設けられていてもよい。
【００１０】
また、前記上面には長さ方向に向かって溝状に形成されていてもよい。
【００１１】
本発明の吊り下げ具は、前記いずれかに記載の吊り下げ用アタッチメントと、前記吊り下げ用フック、この吊り下げ用フックに略直角方向に折り曲げられて連続するともに自身を吊るすフック部を備えたハンガーと、を備えたことを特徴とする。
【発明の効果】
【００１２】
本発明によれば、上方に折り曲げられた先端部、この先端部に連続するとともに吊り下げ対象物を吊り下げる吊り下げ部を備えた吊り下げ用フックに取り付ける吊り下げ用アタッチメントであって、凸状の湾曲面で形成された上面と、吊り下げ部を嵌合する嵌合溝、この溝の一端側に設けられ前記吊り下げ用フックの先端部を嵌挿する穴を備えた底面と、を備えたことにより、ショルダーバッグなどを吊り下げて陳列する際に、肩にかけた状態をイメージさせやすく、さらに、掛けベルトなどを一点で支持するのではなく面で支持することができるので、肩掛けベルトに傷つき、変形などを防止することができるといった効果を奏する。
【図面の簡単な説明】
【００１３】
【図１】本発明の一実施形態であるアタッチメントの図であり、（ａ）は正面図、（ｂ）は背面図、（ｃ）は上面図、（ｄ）は側面図、（ｅ）は底面図である。
【図２】図１に示すアタッチメントを取り付けるハンガーの図であり、（ａ）は正面図、（ｂ）は右側面図、（ｃ）は左側面図である。
【図３】ハンガーの他の実施形態を示す正面図である。
【図４】本発明の一実施形態である吊り下げ具の組立て図である。
【図５】本発明の一実施形態である吊り下げ具の使用状態を示す図であり、（ａ）は正面図、（ｂ）は側面図である。
【発明を実施するための形態】
【００１４】
以下、本発明を実施するための形態について、図面を参照しながら説明する。なお、以下においては、吊り下げ対象物をショルダーバッグとし、ハンガーラックなどにショルダーバッグを吊るして店舗内にショルダーバッグを陳列する場合を例にとって説明するが、これに限定されるものではない。
【００１５】
図１は、本発明の一実施形態であるアタッチメント（吊り下げ用アタッチメント）２の図であり、（ａ）は正面図、（ｂ）は背面図、（ｃ）は上面図、（ｄ）は側面図、（ｅ）は底面図である。
【００１６】
アタッチメント２は、湾曲面状に形成された上面２１、嵌合溝２２１及び嵌合溝２２１の一端側に形成された穴２２２を備えた底面２２、傾斜面状に形成された側面２３、２３を備えている。
【００１７】
上面２１は、人間の肩のラインを模しており、正面から見ると一端から他端にかけて山なりに形成されている。また、図４に示すように上面２１にショルダーバッグの肩掛けベルトＢを掛けてショルダーバッグは吊り下げられて陳列されることから、肩掛けベルトＢがずれ落ちないように、図１（ｄ）に示すように長さ方向に向かって上面２１は溝状に形成されている。
【００１８】
底面２２は、平面状に形成されており、その中央部にアタッチメント２の幅方向に向けて嵌合溝２２１が形成されている。嵌合溝２２１の深さ，幅及び形成などは、後述する吊り下げ用フック３０の吊り下げ部３２の形状、大きさなどに応じて形成すればよい。嵌合溝２２１は、幅方向の一端を切り欠いて他端側に向けて直線状に形成され、その他端側には後述する吊り下げ用フック３０の先端部３１を嵌挿するための穴２２２が設けられている。この穴２２２の大きさ，形状、深さなども、先端部３１に応じて形成すればよい。
【００１９】
図２は、図１に示すアタッチメント２を取り付けるハンガー３の図であり、（ａ）は正面図、（ｂ）は右側面図、（ｃ）は左側面図である。
【００２０】
ハンガー３は、吊り下げ用フック３０、後述するハンガーラックなどに吊るすためのフック部３３を備えている。吊り下げ用フック３０は、上方に折り曲げられた先端部３１、先端部３１に連続する吊り下げ部３２からなる。ハンガー３の形状は、これに限定されず、例えば、図３に示すようなハンガー３Ａであってもよく、ここでは、吊り下げ用フック３０の形状はハンガー３のものと同様であることから、同一の符号を付している。
【００２１】
吊り下げ用フック３０は、本実施形態のようなハンガー３、３Ａに設けられる他、例えば、商品陳列用のスタンドや壁に直接取り付けられることもある。一般的には、このような吊り下げ用フックを利用してショルダーバッグを陳列しており、ハンガー３、３Ａをだけ使用しても、ショルダーバッグを吊り下げて陳列可能であり、その場合には、肩掛けベルトＢを吊り下げ部３２に掛けてショルダーバッグは吊り下げ陳列される。
【００２２】
ただし、例えば、ハンガー３を使用して陳列すると、肩掛けベルトＢは吊り下げ部３２の一点で支持されて吊り下げられることとなるため、ショルダーバッグを肩に掛けた状態をイメージしづらい。と同時に、一点で支持されることにより、この支持された部分に荷重が集中し、肩掛けベルトＢの形状が変形したり、傷ついたりすることもあり得る。
【００２３】
そこで、本発明においては、アタッチメント２をハンガー３に装着し、肩掛けベルトＢを面支持するようにした。
【００２４】
その装着の仕方を示したものが図４である。アタッチメント２は、穴２２２に先端部３１が嵌挿され、嵌合溝２２１に吊り下げ部３２が嵌合されて、ハンガー３に装着される。
【００２５】
店舗等において、ショルダーバッグなどを吊り下げて陳列する際に一般的に使用される吊り下げ用フックには、吊り下げ対象物が落ちないようにその先端部は上方に向けて折り曲げられて形成されている。この上方に折り曲げられた先端部を利用して本発明のアタッチメント２は取り付けられ、これにより、ショルダーバッグの肩掛けベルトＢなどを面支持しようとするものである。
【００２６】
しかし、先端部を単に穴２２２に挿入しただけでは、アタッチメント２は安定せずぐらついてしまう。そこで、本発明においては、吊り下げ用フック３０の先端部３１を穴２２２に挿入するだけでなく、吊り下げ部３２も嵌合溝２２１に嵌合させることにより、このぐらつきを抑えるようにした。
【００２７】
本発明の吊り下げ具１を使用して、ハンガーラックのポールＰにショルダーバッグを吊り下げて陳列した状態を示したものが図５（ａ）、（ｂ）であるが、見やすくするために図５（ｂ）においては肩掛けベルトＢは省略して図示している。
【００２８】
本実施形態においては、アタッチメント２をハンガー３、３Ｂに装着した場合を示したが、これに限定されるものではなく、壁に直接取り付けられたあるいは商品棚等に載置して使用される商品陳列用スタンド等に設けられた吊り下げ用フックにも、本発明の吊り下げ用アタッチメントは使用可能である。この場合には、吊り下げ用フックの形状に応じて、吊り下げ用アタッチメントの嵌合溝及び穴の形状、深さ、幅等は形成すればよい。したがって、嵌合溝の形状は場合によっては、直線状ではなくてもよいし、吊り下げ用アタッチメントの長さ方向に対し直交する方向に設けられていなくもよい。また、穴の形状も丸型ではなく四角型や三角型等吊り下げ用フックの先端部の形状に応じて形成すればよい。
【００２９】
さらに、嵌合溝は、吊り下げ用フックの吊り下げ部を嵌合させることにより吊り下げ用アタッチメントのぐらつきを防止することを目的としていることから、この目的を達成できれば、必ずしも、吊り下げ部は嵌合溝に全てが嵌合されている必要はなく、吊り下げ部及び嵌合溝の双方の形状によっては、吊り下げ部の一部が嵌合溝に形成されることにより、上記ぐらつきを防止するようにしてもよい。なお、本発明の吊り下げ具を使用して吊り下げる物としては、ショルダーバッグ、トートバッグ等肩に掛けるものだけでなく、例えば、スーツやコートなどでもよい。
【符号の説明】
【００３０】
１      吊り下げ具
２      アタッチメント（吊り下げ用アタッチメント）
２１    上面
２２    底面
２２１  嵌合溝
２２２  穴
２３    側面
３    ハンガー
３１  先端部
３２  吊り下げ部
３３  フック部
【図１】
2013146503.tif 000003
【図２】
2013146503.tif 000004
【図３】
2013146503.tif 000005
【図４】
2013146503.tif 000006
【図５】
2013146503.tif 000007